(57)【要約】【課題】給電対象を適切に制御することのできる仕組みを提供することを目的とする。【解決手段】無線により電力を供給する給電装置であって、受電装置を検知する検知手段と、検知手段が検知した受電装置から、受電装置を識別する識別情報を受信する受信手段と、受信手段が受信した識別情報と、記憶手段に格納される、給電を許可する許可装置の識別情報とを比較し、両者が一致する場合に、受電装置への給電を許可する給電制御手段と、給制御手段により給電が許可された受電装置への給電を行う給電手段とを備える。【選択図】図２
2014204611.tif 000002
【特許請求の範囲】
【請求項１】
無線により電力を供給する給電装置であって、
受電装置を検知する検知手段と、
前記検知手段が検知した前記受電装置から、前記受電装置を識別する識別情報を受信する受信手段と、
前記受信手段が受信した前記識別情報と、記憶手段に格納される、給電を許可する許可装置の前記識別情報とを比較し、両者が一致する場合に、前記受電装置への給電を許可する給電制御手段と、
前記給電制御手段により給電が許可された前記受電装置への給電を行う給電手段と
を備えることを特徴とする給電装置。
【請求項２】
前記受電装置を認証する認証手段と、
前記認証手段が認証に成功した前記受電装置の前記識別情報を、前記許可装置の前記識別情報として前記記憶手段に格納する許可装置管理手段と
をさらに備えることを特徴とする請求項１に記載の給電装置。
【請求項３】
前記認証手段は、ワイヤレス充電規格と異なるワイヤレス通信により、前記受電装置を認証することを特徴とする請求項２に記載の給電装置。
【請求項４】
前記許可装置管理手段は、前記受電装置からの指示に応じたサービスの実行履歴を、前記識別情報に対応付けて前記記憶手段に格納し、
前記給電制御手段は、さらに前記実行履歴に基づいて、前記受電装置への給電を許可するか否かを判定することを特徴とする請求項２又は３に記載の給電装置。
【請求項５】
前記許可装置管理手段は、前記受電装置からの指示に応じたサービスに対する課金履歴を、前記識別情報に対応付けて前記記憶手段に格納し、
前記給電制御手段は、さらに前記課金履歴に基づいて、前記受電装置への給電を許可するか否かを判定することを特徴とする請求項２乃至４何れか１項に記載の給電装置。
【請求項６】
無線により電力を供給する給電装置が実行する給電方法であって、
受電装置を検知する検知ステップと、
前記検知ステップにおいて検知した前記受電装置から、前記受電装置を識別する識別情報を受信する受信ステップと、
前記受信ステップにおいて受信した前記識別情報と、記憶手段に格納される、給電を許可する許可装置の前記識別情報とを比較し、両者が一致する場合に、前記受電装置への給電を許可する給電制御ステップと、
前記給電制御ステップにおいて給電が許可された前記受電装置への給電を行う給電ステップと
を含むことを特徴とする給電方法。
【請求項７】
コンピュータを、
受電装置を検知する検知手段と、
前記検知手段が検知した前記受電装置から、前記受電装置を識別する識別情報を受信する受信手段と、
前記受信手段が受信した前記識別情報と、記憶手段に格納される、給電を許可する許可装置の前記識別情報とを比較し、両者が一致する場合に、前記受電装置への給電を許可する給電制御手段と、
前記給電制御手段により給電が許可された前記受電装置への給電を制御する給電制御手段と
して機能させるためのプログラム。
【発明の詳細な説明】
【技術分野】
【０００１】
本発明は、給電装置、給電方法及びプログラムに関する。
【背景技術】
【０００２】
複合機やプリンタなどの画像処理装置のユーザインターフェース（ＵＩ）や、Ｄｉｒｅｃｔ  Ｐｒｉｎｔに、タブレットＰＣやスマートフォンのようなモバイルデバイスが利用されるシーンが増えている。特にコンビニエンスストアなどに設置している複合機において、ＵＩ等としてモバイルデバイスが利用されるケースが増加している。
また、モバイルデバイスとしては、Ｗｉ−Ｆｉ（登録商標）などのワイヤレス通信機能と、ワイヤレス充電機能（Ｑｉ（チー）（登録商標）規格等）とを搭載したものが増加している。Ｑｉ規格では、給電機器と受電機器との間で制御プロトコルが決められており、同じ規格どうしであれば給電を行うことができる。そのためＱｉ対応機器であれば、製造メーカによらず、給電機器と受電機器とのどのような組み合わせにおいても、認証無しに充電を行うことができる。
【０００３】
これに対応し、コンビニエンスストア等に設定された複合機等において、モバイルデバイスからプリント等のサービスが利用される際に、複合機等からモバイルデバイスに対して給電を行うサービスが提案されている。
ワイヤレス通信技術としては、例えば特許文献１には、ワイヤレス通信を利用して、給電機器と受電機器との距離を検知することによって給電機器の給電機能をオンにするかオフにするかを判断する技術が開示されている。
【先行技術文献】
【特許文献】
【０００４】
【特許文献１】特開２０１２−１０４４７号公報
【発明の概要】
【発明が解決しようとする課題】
【０００５】
しかしながら、上述のように、ワイヤレス充電規格によれば、規格として認証された機器同士では、受電装置の認証を要することなく、給電装置からの給電が行われてしまう。このため、コンビニエンス等に設置された複合機等においては、プリント等のサービスを利用する受電装置に対してのみ給電サービスを提供するなど、給電対象を制限する技術の提供が望まれている。
【０００６】
本発明はこのような問題点に鑑みなされたもので、給電対象を適切に制御することのできる仕組みを提供することを目的とする。
【課題を解決するための手段】
【０００７】
そこで、本発明は、無線により電力を供給する給電装置であって、受電装置を検知する検知手段と、前記検知手段が検知した前記受電装置から、前記受電装置を識別する識別情報を受信する受信手段と、前記受信手段が受信した前記識別情報と、記憶手段に格納される、給電を許可する許可装置の前記識別情報とを比較し、両者が一致する場合に、前記受電装置への給電を許可する給電制御手段と、前記給電制御手段により給電が許可された前記受電装置への給電を行う給電手段とを備えることを特徴とする。
【発明の効果】
【０００８】
本発明によれば、給電対象を適切に制御することができる。
【図面の簡単な説明】
【０００９】
【図１】無線給電システムを示す図である。
【図２】画像処理装置２０を示す図である。
【図３】管理テーブルの一例を示す図である。
【図４】携帯端末２０を示す図である。
【図５】給電処理を示すフローチャートである。
【図６】タッチパネルの表示例を示す図である。
【図７】給電処理を示すフローチャートである。
【図８】タッチパネルの表示例を示す図である。
【発明を実施するための形態】
【００１０】
以下、本発明の実施形態について図面に基づいて説明する。
図１は、無線給電システムを示す図である。無線給電システムは、給電装置としての画像処理装置２０と、受電装置としての携帯端末３０とを備えている。画像処理装置２０は、ネットワークインターフェース（Ｉ／Ｆ）やローカルインターフェース（Ｉ／Ｆ）などの外部インターフェース経由で携帯端末３０や、図示せぬＰＣから印刷データを受けて用紙に印刷したり一時保存したりするサービスを提供する。画像処理装置２０は、さらに、他の装置（携帯端末３０）に、無線により電力を供給する。
携帯端末３０は、入出力デバイスである。携帯端末３０は、例えば、画像処理装置２０のユーザインターフェース（ＵＩ）として機能する。携帯端末３０は、文書や写真等のコンテンツをワイヤレス通信のＤｉｒｅｃｔ  Ｐｒｉｎｔでプリントする際の入力デバイスとして機能する。携帯端末３０はさらに、画像処理装置２０から無線により電力の供給を受け、自身が備えるバッテリーを充電する。画像処理装置２０と携帯端末３０との間の認証等の情報の送受信は、ワイヤレス通信により行われるものとする。
【００１１】
図２は、画像処理装置２０を示す図である。画像処理装置２０は、印刷データを処理するコントローラ部２０１と、コントローラ部２０１からの印刷データを紙に印刷するエンジン部２０２とを備えている。
コントローラ部２０１は、ＡＳＩＣ２１１と、ネットワークＩ／Ｆ２１２と、ローカルＩ／Ｆ２１３と、ＲＡＭ２１４と、エンジンＩ／Ｆ２１５と、通信制御部２１６と、アンテナ２１７と、操作部２１８と、ＲＯＭ２１９と、給電部２２０とを備える。
【００１２】
ネットワークＩ／Ｆ２１２及びローカルＩ／Ｆ２１３は、外部インターフェースを介して携帯端末３０との間でデータを送受信する。ここで、外部インターフェースとして、イーサネット（登録商標）やＵＳＢなどを用いることができる。エンジンＩ／Ｆ２１５は、処理後の印刷データをエンジン部２０２へ送る。
ＡＳＩＣ２１１は、ＣＰＵ２３０を内蔵し、主に印刷データを処理し、印刷データをエンジン部２０２に渡す。操作部２１８は、ユーザからの操作入力を受け付ける。操作部２１８はまた、ユーザに画像処理装置２０の状況を伝えるための表示画面を備える。
【００１３】
ＲＯＭ２１９は、プログラムを格納する。ＲＯＭ２１９はまた、ユーザデータを一時的に格納する。ＲＡＭ２１４は、印刷データを処理する場合の画像展開領域やプログラムのワーク領域である。
通信制御部２１６及びアンテナ２１７は、携帯端末３０との間でワイヤレス通信により情報を送受信する。ワイヤレス通信としては、Ｗｉ−ＦｉやＢｌｕｅｔｏｏｔｈ、ＺｉｇＢｅｅなどの近距離無線通信を用いることができる。
【００１４】
給電部２２０は、近接距離におけるワイヤレス給電を行うインターフェースである。給電部２２０は、給電部２２０と同じ規格のワイヤレス充電部を搭載する受電装置を対象に、ワイヤレスによる給電を行う。
なお、後述する画像処理装置２０の機能や処理は、ＣＰＵ２３０がＲＯＭ２１９に格納されているプログラムを読み出し、このプログラムを実行することにより実現されるものである。
【００１５】
図３は、画像処理装置２０のＲＡＭ２１４に格納される管理テーブルの一例を示す図である。管理テーブルは、画像処理装置２０から携帯端末３０への給電を許可するか否かを行うか否かを判断する際に、ＣＰＵ２３０により参照される。
管理テーブルは、デバイスＩＤと、認証キーと、実行履歴と、課金履歴とを対応付けて記憶している。デバイスＩＤは、携帯端末３０を識別する識別情報の一例である。本実施形態においては、デバイスＩＤには、デバイス名を用いることとする。管理テーブルには、画像処理装置２０が給電を許可する携帯端末３０のデバイスＩＤが格納される。認証キーは、後述する認証処理において利用される情報である。
【００１６】
実行履歴は、携帯端末３０からの指示に応じて、画像処理装置２０が実行した画像処理などのサービスの履歴情報である。課金情報は、携帯端末３０からの指示に応じて、画像処理装置２０が実行したサービスに応じて携帯端末３０に課金された履歴情報である。
デバイスＩＤは、認証に成功した場合に、ＣＰＵ２３０により管理テーブルに書き込まれる。実行履歴及び課金履歴には、携帯端末３０により画像処理装置２０のサービスが利用された場合に、ＣＰＵ２３０により、利用されたサービスに応じた内容が蓄積される。例えば、携帯端末３０からの指示により、ダイレクトプリントのサービスが２回利用された場合には、ＣＰＵ２３０は、「Ｄｉｒｅｃｔ  Ｐｒｉｎｔ  ２回」の実行履歴を格納し、さらに、２回に対応する課金情報を課金履歴として格納する。
【００１７】
図４は、携帯端末３０を示す図である。携帯端末３０は、ＣＰＵ３０１と、ＲＯＭ３０２と、ＲＡＭ３０３と、通信制御部３０４と、アンテナ３０５と、タッチパネル３０６と、充電部３０７と、バッテリー３０８とを有している。ＲＯＭ３０２は、携帯端末３０全体を制御するプログラムを格納する。ＣＰＵ３０１は、ＲＯＭ３０２に格納されるプログラムを実行する。
タッチパネル３０６は、ＬＣＤなどの表示画面を有する。タッチパネル３０６は、ユーザからの操作入力を受け付ける。タッチパネル３０６はまた、画像処理装置２０の状態等の情報を表示する。充電部３０７は、画像処理装置２０の給電部２２０から供給された電力により、バッテリー３０８を充電するインターフェースである。携帯端末３０は、バッテリー３０８によって、携帯端末３０全体の消費電力を賄う。
なお、後述する携帯端末３０の機能や処理は、ＣＰＵ３０１がＲＯＭ３０２に格納されているプログラムを読み出し、このプログラムを実行することにより実現されるものである。
【００１８】
図５は、画像処理装置２０と携帯端末３０の間で実行される給電処理を示すフローチャートである。Ｓ４０１及びＳ４２１おいて、画像処理装置２０は、携帯端末３０とのワイヤレス通信により、携帯端末３０の接続及び認証の処理を行う（認証処理）。認証処理においては、携帯端末３０は、画像処理装置２０に自身の認証キーを送信する。画像処理装置２０は、受信した認証キーに基づいて、認証処理を行う。ここで、Ｓ４０１の処理は、携帯端末３０を検知する検知処理及び携帯端末３０を認証する認証処理の一例である。
なお、Ｓ４０１及びＳ４２１において、画像処理装置２０及び携帯端末３０は、ワイヤレス充電規格の通信以外のワイヤレス通信を利用するものとする。ワイヤレス通信としては、ＷｉＦｉ、Ｂｌｕｅｔｏｏｔｈ（登録商標）、ＺｉｇＢｅｅ（登録商標）などの近距離無線通信方法が挙げられる。
例えば、Ｗｉ−Ｆｉの場合には、画像処理装置２０及び携帯端末３０は、ＩＥＥＥ８０２．１１の規格に沿った接続及び認証動作を行う。また、Ｂｌｕｅｔｏｏｔｈの場合には、画像処理装置２０及び携帯端末３０は、ＩＥＥＥ８０２．１５．１の規格に沿った接続及び認証動作を行なう。
このように、画像処理装置２０は、ワイヤレス充電規格の通信系以外のワイヤレス通信により、接続の際の認証を行う。すなわち、画像処理装置２０は、既存の認証機能を利用する。これにより、画像処理装置２０は、信頼性の高い認証を行うことができる。
【００１９】
ＣＰＵ２３０は、認証に成功した場合に、認証に利用された認証キーを管理テーブルに格納する。ＣＰＵ２３０はさらに、認証に成功した携帯端末３０のデバイスＩＤを、許可装置のデバイスＩＤとして管理テーブルに格納する（許可装置管理処理）。
そして、以下に説明する携帯端末３０によるＳ４２２以降の処理に並行し、携帯端末３０は、タッチパネル３０６へのユーザ指示等に応じて、画像処理装置２０が有する画像処理等のサービスを受ける。これに対応し、以下に説明する画像処理装置２０によるＳ４０２以降の処理に並行し、画像処理装置２０は、自身が有するサービスの実行状況に応じて、管理テーブルの実行履歴及び課金履歴を更新する。
【００２０】
次に、Ｓ４２２において、携帯端末３０のＣＰＵ３０１は、ワイヤレス充電機能を有する場合には、ワイヤレス充電機能を有する旨の通知を、通信制御部３０４及びアンテナ３０５を介して、画像処理装置２０に送信する。なお、携帯端末３０からの通信方法としては、専用コマンドを用いることとする。他の例としては、送信パケット内のフラグを用いてもよい。
次に、Ｓ４０２において、画像処理装置２０のＣＰＵ２３０は、携帯端末３０からワイヤレス充電機能を有する旨の通知を受信すると、処理をＳ４０３へ進める。そして、Ｓ４０３において、ＣＰＵ２３０は、給電部２２０を活性化する。具体的には、Ｓ４０３の処理前の状態においては、給電部２２０への電源供給は行われておらず、Ｓ４０３において、ＣＰＵ２３０は、給電部２２０への電源供給を開始（活性化）する。また、他の例としては、Ｓ４０３の処理前の状態においては、給電部２２０への制御信号をｉｎａｃｔｉｖｅとし、Ｓ４０３において、ＣＰＵ２３０は、制御信号をａｃｔｉｖｅに変更（活性化）する。
【００２１】
次に、Ｓ４０４において、ＣＰＵ２３０は、給電部２２０によるワイヤレス給電機能がオンになった旨の通知を、通信制御部２１６及びアンテナ２１７を介して、携帯端末３０に送信する。次に、Ｓ４２３において、携帯端末３０のＣＰＵ３０１は、ワイヤレス給電機能がオンになった旨の通知を受信すると、処理をＳ４２４へ進める。Ｓ４２４において、ＣＰＵ３０１は、ワイヤレス給電機能がオンになった旨をタッチパネル３０６に表示する。
図６は、ワイヤレス給電機能がオンになった旨の表示例を示す図である。これにより、携帯端末３０のユーザは、ワイヤレス給電機能が利用可能であることを知ることができる。
次に、Ｓ４２５において、携帯端末３０のユーザは、充電部３０７を、画像処理装置２０の給電部２２０に接触させる。ＣＰＵ３０１は、ワイヤレス給電規格の通信により携帯端末３０を識別するデバイスＩＤを含むＩＤパケットを送信する。ここで、デバイスＩＤは、携帯端末３０を識別する識別情報の一例である。
【００２２】
一方、Ｓ４０５において、画像処理装置２０のＣＰＵ２３０は、ワイヤレス給電可能な給電エリアに、携帯端末Ａの充電部３０７が接触したことを検知すると、処理をＳ４０６へ進める。Ｓ４０６において、画像処理装置２０のＣＰＵ２３０は、ＩＤパケットを受信すると（受信処理）、処理をＳ４０７へ進める。
Ｓ４０７において、ＣＰＵ２３０は、管理テーブルを参照し、Ｓ４０１において認証処理において参照した認証キーに対応付けられているデバイスＩＤと、受信したデバイスＩＤとを比較する。そして、Ｓ４０８において、両者が一致する場合に、ＣＰＵ２３０は、給電を許可すると判定し、処理をＳ４０９へ進める。なお、Ｓ４０７及びＳ４０８の処理は、給電制御処理の一例である。
【００２３】
Ｓ４０９において、ＣＰＵ２３０は、給電部２２０を介して、携帯端末３０への給電開始を指示する（給電制御処理）。そして、給電部２２０は、給電を開始する（給電処理）。これに対応し、Ｓ４２６において、携帯端末３０のＣＰＵ３０１は、充電部３０７を介してバッテリー３０８の充電を開始する。そして、Ｓ４２７において、携帯端末３０のＣＰＵ３０１は、バッテリー３０８がフル充電になると、充電を完了する。これに対応し、Ｓ４１０において、ＣＰＵ２３０は、給電を完了する。以上で、給電処理が終了する。
一方、Ｓ４０８において、両者が一致しない場合には、ＣＰＵ２３０は、給電を許可しないと判定し、処理をＳ４１１へ進める。そして、Ｓ４１１において、ＣＰＵ２３０は、操作部２１８が有する表示画面にエラーを表示する。次に、Ｓ４１２において、ＣＰＵ２３０は、ワイヤレス通信規格の通信により、エラーの旨を携帯端末３０に送信し、給電処理を終了する。このように、給電を許可しないと判定した場合には、ＣＰＵ２３０は、携帯端末３０への給電を行わない。
【００２４】
画像処理装置２０に給電対象として登録されている携帯端末Ａ（携帯端末３０）との間での給電処理においては、Ｓ４０８において、ＣＰＵ２３０は、携帯端末Ａへの給電を許可すると判定し、処理をＳ４０９へ進める。そして、Ｓ４０９において、ＣＰＵ２３０は、携帯端末Ａへの給電を開始する。これに対し、Ｓ４２６において、携帯端末ＡのＣＰＵ３０１は、受電を開始し、バッテリー３０８の充電を開始する。
このように、画像処理装置２０は、認証に成功した携帯端末３０への給電を許可し、許可した携帯端末３０への給電を行うことができる。
【００２５】
次に、図７を参照しつつ、画像処理装置２０に給電対象として登録されていない携帯端末Ｂ（携帯端末３０）からＩＤパケットを受信した場合の処理について説明する。なお、携帯端末Ｂは、自身のデバイスＩＤ及び認証キーが管理テーブルに登録されておらず、Ｓ４２１のワイヤレス通信における接続及び認証の処理を行っていないものとする。
Ｓ４３１において、携帯端末Ｂが画像処理装置２０の給電部２２０に接触し、携帯端末Ｂは、ワイヤレス給電規格の通信により、デバイスＩＤを含むＩＤパケットを送信する。これに対応し、画像処理装置２０のＣＰＵ２３０は、Ｓ４０５において、携帯端末Ｂの接触を検知し、Ｓ４０６において、ＩＤパケットを受信する。
【００２６】
次に、Ｓ４０７において、ＣＰＵ２３０は、管理テーブルを参照する。しかしながら、携帯端末Ｂとの間での認証処理が行われおらず、管理テーブルには、携帯端末ＢのデバイスＩＤは登録されていない。
したがって、Ｓ４０８において、ＣＰＵ２３０は、給電不可と判定し、処理をＳ４１１へ進める。そして、ＣＰＵ２３０は、Ｓ４１１において、操作部２１８にエラーを表示し、Ｓ４１２において、エラーの旨を携帯端末Ｂに送信し、給電処理を終了する。
【００２７】
一方、携帯端末Ｂにおいは、Ｓ４３２において、ＣＰＵ３０１は、Ｓ４１２において送信されたエラーの旨を受信し、これをタッチパネル３０６に表示し、給電処理を終了する。図８は、エラーの表示例を示す図である。これにより、携帯端末３０のユーザは、給電を行えないことを知ることができる。
このように、画像処理装置２０は、認証に成功していない携帯端末３０への給電を禁止し、禁止した携帯端末３０への給電を行わないこととすることができる。
以上、上述した各実施形態によれば、給電対象を適切に制御することができる。
【００２８】
本実施形態にかかる無線給電システムの変更例としては、画像処理装置２０は、管理テーブルのデバイスＩＤだけでなく、実行履歴及び課金履歴のうち少なくとも一方に基づいて、給電を行うか否かを判定してもよい。画像処理装置２０は、例えばデバイスＩＤに一致し、かつ実行履歴が格納されている場合に、対応する携帯端末３０への給電を許可することとしてもよい。
また、他の例としては、画像処理装置２０は、デバイスＩＤだけでなく、携帯端末３０のワイヤレス給電規格の種類や情報に基づいて、給電を行うか否かを判定してもよい。このように、画像処理装置２０は、使用形態に応じた適切な条件により給電を行うか否かを判定することができる。
【００２９】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００３０】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３１】
１０  画像処理装置、２０  携帯端末、２０１  コントローラ部、２０２  エンジン部、２１１  ＡＳＩＣ、２１２  ネットワークＩ／Ｆ、２１３  ローカルＩ／Ｆ、２１４  ＲＡＭ、２１５  エンジンＩ／Ｆ、２１６  通信制御部、２１７  アンテナ、２１８  操作部、２１９  ＲＯＭ、２２０  給電部、２３０  ＣＰＵ、３０１  ＣＰＵ、３０２  ＲＯＭ、３０３  ＲＡＭ、３０４  通信制御部、３０５  アンテナ、３０６  タッチパネル、  ３０７  充電部、３０８  バッテリー
【図１】
2014204611.tif 000003
【図２】
2014204611.tif 000004
【図３】
2014204611.tif 000005
【図４】
2014204611.tif 000006
【図５】
2014204611.tif 000007
【図６】
2014204611.tif 000008
【図７】
2014204611.tif 000009
【図８】
2014204611.tif 000010